【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれている第１層および第２層と、
前記第１層と前記第２層との間に配置されている複数のストランドセグメントとを有しており、
前記ストランドセグメントは、前記ウエストバンドの周りに少なくとも部分的に延びており、前記第１層および前記第２層の表面に、少なくとも５センチメートルの距離にわたり実質的に平行に置かれ、前記第１層および前記第２層に前記少なくとも５センチメートルの距離に沿って接着されている、衣料品。
【請求項２】
前記第１層と前記第２層との間に熱可塑性ポリマー材料が配置され、前記ストランドセグメントは前記熱可塑性ポリマー材料で前記第１層および前記第２層に接着されることを特徴とする、請求項１に記載の衣料品。
【請求項３】
前記熱可塑性ポリマー材料は、前記ストランドセグメント間の部位には存在しないことを特徴とする、請求項２に記載の衣料品。
【請求項４】
前記ストランドセグメントは、前記ウエストバンドの少なくとも後部に配置されていることを特徴とする、請求項１に記載の衣料品。
【請求項５】
前記ストランドセグメントは互いに交差していることを特徴とする、請求項１に記載の衣料品。
【請求項６】
前記ストランドセグメントは単一ストランドの部分であることを特徴とする、請求項１に記載の衣料品。
【請求項７】
前記ストランドセグメントの第１群は互いに実質的に平行であり、前記ストランドセグメントの第２群は互いに実質的に平行であり、前記ストランドセグメントの前記第１群は前記ストランドセグメントの前記第２群と交差していることを特徴とする、請求項１に記載の衣料品。
【請求項８】
前記ストランドセグメントの前記第１群は、前記ウエストバンドの後部で前記ストランドセグメントの前記第２群と交差していることを特徴とする、請求項７に記載の衣料品。
【請求項９】
前記熱可塑性ポリマー材料は、前記ストランドセグメント間に配置されている複数の開き口を画定することを特徴とする、請求項２に記載の衣料品。
【請求項１０】
前記第１層および前記第２層は、前記開き口で互いに固定されていないことを特徴とする、請求項９に記載の衣料品。
【請求項１１】
前記骨盤領域は前記ウエストバンドの前部に配置されている少なくとも１つの開き口を画定し、締めひもが前記開き口を通過して延び、前記締めひもは前記ストランドセグメントとは別の要素であることを特徴とする、請求項１に記載の衣料品。
【請求項１２】
前記ストランドセグメントは２ミリメートル未満の厚さを有することを特徴とする、請求項１に記載の衣料品。
【請求項１３】
前記第１層および前記第２層は伸縮性織物地素材であることを特徴とする、請求項１に記載の衣料品。
【請求項１４】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれ、前記衣料品の外面および相対する内面の部分を画定する第１層および第２層と、
前記第１層と前記第２層との間に配置されて、前記第１層および前記第２層の表面に、少なくとも５センチメートルの距離にわたり実質的に平行に置かれている複数のストランドセグメントと、
前記第１層と前記第２層との間に配置されて、前記ストランドセグメントを前記第１層および前記第２層に接合する熱可塑性ポリマー材料とを有する、衣料品。
【請求項１５】
前記熱可塑性ポリマー材料は、前記ストランドセグメント間の部位には存在しないことを特徴とする、請求項１４に記載の衣料品。
【請求項１６】
前記ストランドセグメントは、前記ウエストバンドの少なくとも後部に配置されていることを特徴とする、請求項１４に記載の衣料品。
【請求項１７】
前記ストランドセグメントは互いに交差していることを特徴とする、請求項１４に記載の衣料品。
【請求項１８】
前記第１層および前記第２層は、前記ストランドセグメント間の部位で互いに固定されていないことを特徴とする、請求項１５に記載の衣料品。
【請求項１９】
前記骨盤領域は前記ウエストバンドの前部に配置されている少なくとも１つの開き口を画定し、締めひもは前記開き口を通過して延び、前記締めひもは前記ストランドセグメントとは別の要素であることを特徴とする、請求項１４に記載の衣料品。
【請求項２０】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、前部、前記前部に相対して配置される後部、前記前部と前記後部との間に配置される第１側部、および前記第１側部に相対するとともに前記前部と前記後部との間に配置される第２側部を画定し、
前記ウエストバンドは、
互いに隣接して置かれている第１層および第２層と、
前記第１層と前記第２層との間に配置されるとともに、前記第１層および前記第２層の表面に少なくとも５センチメートルの距離にわたり実質的に平行に置かれている複数のストランドセグメントであって、前記ストランドセグメントの第１群は前記第１側部から前記後部まで延びており、前記ストランドセグメントの第２群は前記第２側部から前記後部まで延びており、前記ストランドセグメントの前記第１群は前記後部で前記ストランドセグメントの前記第２群に交差している、前記複数のストランドセグメントとを有する、衣料品。
【請求項２１】
前記第１層と前記第２層との間に熱可塑性ポリマー材料が配置されており、前記ストランドセグメントは前記熱可塑性ポリマー材料で前記第１層および前記第２層に接着されることを特徴とする、請求項２０に記載の衣料品。
【請求項２２】
前記熱可塑性ポリマー材料は、前記ストランドセグメント間の部位には存在しないことを特徴とする、請求項２１に記載の衣料品。
【請求項２３】
前記ストランドセグメントは単一ストランドの部分であることを特徴とする、請求項２０に記載の衣料品。
【請求項２４】
前記第１層および前記第２層は、前記衣料品の外面および相対する内面の部分を画定することを特徴とする、請求項２０に記載の衣料品。
【請求項２５】
前記ストランドセグメントの前記第１群は互いに実質的に平行であり、前記ストランドセグメントの前記第２群は互いに実質的に平行であることを特徴とする、請求項２０に記載の衣料品。
【請求項２６】
前記骨盤領域は前記前部に配置されている少なくとも１つの開き口を画定し、締めひもは前記開き口を通過して延び、前記締めひもは前記ストランドセグメントとは別の要素であることを特徴とする、請求項２０に記載の衣料品。
【請求項２７】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれている第１層および第２層であって、前記第１層および前記第２層を貫通する少なくとも１つの開き口を画定する前記第１層および前記第２層と、
前記第１層の間に配置される複数のストランドセグメントであって、前記ストランドセグメントは、前記第１層および前記第２層の表面に、少なくとも５センチメートルの距離にわたり実質的に平行に置かれ、前記開き口から外側に延びている、前記複数のストランドセグメントと、
前記開き口を通過して延びる締めひもとを有する、衣料品。
【請求項２８】
前記ウエストバンドは、前記第１層および前記第２層を接合する熱可塑性ポリマー材料を含むことを特徴とする、請求項２７に記載の衣料品。
【請求項２９】
前記熱可塑性ポリマー材料は、前記ストランドセグメント間の部位には存在しないことを特徴とする、請求項２８に記載の衣料品。
【請求項３０】
前記締めひもは、前記ストランドセグメントとは別の要素であることを特徴とする、請求項２７に記載の衣料品。